【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
液体収容容器であって、
液体を収容する液体カートリッジと、
シート状の部材によって構成され、前記液体カートリッジを収容する収容部材と、
前記収容部材に収容されている前記液体カートリッジを収容する箱状の外装部材と、
を備え、
前記液体カートリッジは、内部に大気を導入可能な大気導入孔を有し、
前記外装部材は、少なくとも、前記大気導入孔に対向する位置にある壁部を有し、
前記壁部は、前記大気導入孔から前記壁部に向かう方向に突出している突出部を有しており、
前記収容部材は、前記壁部と前記液体カートリッジとの間に位置する端部を有している、液体収容容器。
【請求項２】
請求項１記載の液体収容容器であって、
前記収容部材の前記端部は、前記突出部の内部に形成されている空間に収容されている、液体収容容器。
【請求項３】
請求項１または請求項２記載の液体収容容器であって、
前記突出部は、前記壁部の表面を突出させることによって形成されており、前記大気導入孔から前記壁部に向かう方向に対して傾斜している２以上の平面を有し、
前記外装部材の重心は、前記突出部の少なくとも１つの平面を鉛直下方に向かせたときに、鉛直方向に沿った方向において前記平面から外れる位置にある、液体収容容器。
【請求項４】
請求項１または請求項２記載の液体収容容器であって、
前記突出部は、前記壁部の表面を突出させた曲面によって構成されている、液体収容容器。
【請求項５】
請求項１から請求項４のいずれか一項に記載の液体収容容器であって、
前記収容部材は、前記壁部と前記液体カートリッジとの間において折り曲げられている折曲部を有している、液体収容容器。
【請求項６】
請求項１から請求項５のいずれか一項に記載の液体収容容器であって、
前記液体は分散質成分を含み、
前記液体カートリッジは、前記液体を保持可能な液体保持部材を収容しているとともに、前記液体を外部に供給可能な液体供給口を有し、
前記外装部材は、前記壁部である第１壁部に加えて、前記液体カートリッジが収容されたときに前記液体供給口に対向する位置にある第２壁部を有し、かつ、前記突出部である第１突出部に加えて、前記液体供給口から前記第２壁部に向かう方向に突出している第２突出部を有し、
前記収容部材は、前記端部である第１端部に加えて、前記第２壁部と前記液体カートリッジとの間に位置する第２端部を有している、液体収容容器。
【請求項７】
液体収容容器であって、
液体を収容する液体カートリッジと、
シート状の部材によって構成され、前記液体カートリッジを収容する収容部材と、
前記収容部材に収容されている前記液体カートリッジを収容する箱状の外装部材と、
を備え、
前記液体カートリッジは、内部に大気を導入可能な大気導入孔を有し、
前記外装部材は、少なくとも、前記大気導入孔に対向する位置にある壁部を有し、
前記壁部の外壁面は、前記大気導入孔から前記壁部に向かう方向に対して傾斜している１以上の平面によって構成されており、
前記収容部材は、前記壁部と前記液体カートリッジとの間に位置している端部を有している、液体収容容器。
【請求項８】
請求項７記載の液体収容容器であって、
前記外装部材の重心は、前記壁部の外壁面を構成する少なくとも１つの平面を鉛直下方に向かせたときに、鉛直方向に沿った方向において前記平面から外れる位置にある、液体収容容器。
【請求項９】
請求項７または請求項８記載の液体収容容器であって、
前記液体は分散質成分を含み、
前記液体カートリッジは、前記液体を保持可能な液体保持部材を収容しているとともに、前記液体を外部に供給可能な液体供給口を有し、
前記外装部材は、前記壁部である第１壁部に加えて、収容されている前記液体カートリッジの前記液体供給口に対向する位置にある第２壁部を有し、
前記第２壁部の外壁面は、前記液体供給口から前記壁部に向かう方向に対して傾斜している１以上の平面によって構成されており、
前記収容部材は、前記端部である第１端部に加えて、前記第２壁部と前記液体カートリッジとの間に位置する第２端部を有している、液体収容容器。
【請求項１０】
請求項９記載の液体収容容器であって、
前記液体カートリッジの前記大気導入孔と前記液体供給口とは、互いに反対の方向に向かって開口するように形成されており、
前記外装部材は、前記第１壁部と前記第２壁部とに交差する第３壁部と、前記第１壁部と前記第２壁部とに交差するとともに前記第３壁部と対向する第４壁部と、を有し、
前記外装部材の前記第１壁部と前記第２壁部と前記第３壁部と前記第４壁部とに囲まれている空間は、多角形形状の断面を有している、液体収容容器。
【請求項１１】
請求項１０記載の液体収容容器であって、
前記空間は六角形形状の断面を有している、液体収容容器。
【請求項１２】
請求項１０記載の液体収容容器であって、
前記空間は台形形状の断面を有している、液体収容容器。
【請求項１３】
液体収容容器であって、
液体を収容する液体カートリッジと、
シート状の部材によって構成され、前記液体カートリッジを収容する収容部材と、
前記収容部材に収容されている前記液体カートリッジを収容する箱状の外装部材と、
を備え、
前記液体カートリッジは、内部に大気を導入可能な大気導入孔を有し、
前記外装部材は、少なくとも、前記大気導入孔に対向する位置にある壁部と、前記大気導入孔から前記壁部に向かう方向に前記壁部の外壁面より突出するように延びている突起部と、を有しており、
前記収容部材は、前記壁部と前記液体カートリッジとの間に位置する端部を有している、液体収容容器。
【請求項１４】
請求項１３の液体収容容器であって、
前記液体は分散質成分を含み、
前記液体カートリッジは、前記液体を保持可能な液体保持部材を収容しているとともに、前記大気導入孔とは反対の方向に向かって開口する液体供給口を有し、
前記外装部材は、前記壁部である第１壁部に加えて、前記液体供給口に対向する位置にあり、前記第１壁部と対向する位置にある第２壁部を有し、かつ、前記突起部である第１突起部に加えて、前記液体供給口から前記第２壁部に向かう方向に、前記第２壁部の外壁面より突出するように延びている第２突起部を有しており、
前記収容部材は、前記端部である第１端部に加えて、前記第２壁部と前記液体カートリッジとの間に位置する第２端部を有している、液体収容容器。
【請求項１５】
請求項１から請求項１４のいずれか一項に記載の液体収容容器であって、
前記大気導入孔は、前記液体カートリッジの端部に寄った位置に形成されており、
前記外装部材は、前記液体カートリッジの端部に隣り合う位置に配置されるとともに前記壁部と交差する大気導入孔側壁部を有しており、
前記大気導入孔側壁部は、前記大気導入孔から前記液体カートリッジの端部に向かう方向に突出している凸部を有している、液体収容容器。
【請求項１６】
請求項１から請求項１５のいずれか一項に記載の液体収容容器であって、
前記大気導入孔は、前記液体カートリッジの端部に寄った位置に形成されており、
前記外装部材は、前記液体カートリッジの端部に隣り合う位置に配置されるとともに前記壁部と交差する大気導入孔側壁部を有しており、
前記外装部材は、前記大気導入孔から前記液体カートリッジの端部に向かう方向に、前記大気導入孔側壁部の外壁面よりも延出している延出部を有している、液体収容容器。
【請求項１７】
請求項１から請求項１６のいずれか一項に記載の液体収容容器であって、
前記大気導入孔は、前記液体カートリッジの端部に寄った位置に形成されており、
前記外装部材は、前記大気導入孔から前記液体カートリッジの端部に向かう方向とは反対の方向に配置されるとともに前記壁部と交差する大気導入孔離間壁部を有しており、
前記大気導入孔離間壁部は、前記大気導入孔から前記壁部に向かう方向に平行な平面状の壁面を有している、液体収容容器。
【請求項１８】
液体収容容器であって、
液体を収容する液体カートリッジと、
シート状の部材によって構成され、前記液体カートリッジを収容する収容部材と、
を備え、
前記液体カートリッジは、内部に大気を導入可能な大気導入孔が設けられ、前記液体カートリッジが液体噴射装置に装着された状態で鉛直上方に向く上面を有し、
前記収容部材は、内部に前記液体カートリッジを収容した状態において、前記液体カートリッジの前記上面と対向し、前記大気導入孔の開口方向の側に突出している端部を有し、前記液体カートリッジを内部に収容した状態で吊り下げられるように構成されており、
前記液体カートリッジの前記上面は、前記液体カートリッジが前記収容部材に収容され、前記収容部材が吊り下げられた状態では水平方向に向く、液体収容容器。
【請求項１９】
請求項１８記載の液体収容容器であって、
前記液体は、分散質成分を含有しており、
前記液体カートリッジは、前記液体を保持可能な液体保持部材を収容しているとともに、前記液体を外部に供給可能な液体供給口が設けられ、前記液体カートリッジが前記液体噴射装置に装着された状態で鉛直下方に向く底面を有しており、
前記収容部材は、前記端部である第１端部に加えて、内部に前記液体カートリッジを収容した状態で、前記液体カートリッジの前記底面と対向し、前記液体供給口の開口方向の側に突出している第２端部を有しており、
前記液体カートリッジの前記底面は、前記液体カートリッジが前記収容部材に収容され、前記収容部材が吊り下げられた状態では前記水平方向に向く、液体収容容器。
【請求項２０】
請求項６と、請求項９と、請求項１０と、請求項１４と、請求項１９のうちのいずれか一項に記載の液体収容容器であって、
前記液体カートリッジには、前記液体供給口を覆うカバー部材が装着されている、液体収容容器。
【請求項２１】
請求項１から請求項２０のいずれか一項に記載の液体収容容器であって、
前記端部は、前記シート状の部材の端部同士を溶着させた溶着部である、液体収容容器。
【請求項２２】
液体収容容器であって、
分散質成分を含有している液体と、前記液体を保持可能な液体保持部材と、を収容する液体カートリッジと、
シート状の部材によって構成され、前記液体カートリッジを収容する収容部材と、
前記収容部材に収容されている前記液体カートリッジを収容する箱状の外装部材と、
を備え、
前記液体カートリッジは、前記液体を外部に供給可能な液体供給口を有し、
前記外装部材は、少なくとも、前記液体供給口に対向する位置にある壁部を有し、
前記壁部は、前記液体供給口から前記壁部に向かう方向に突出している突出部を有しており、
前記収容部材は、前記壁部と前記液体カートリッジとの間に位置する端部を有している、液体収容容器。
【請求項２３】
液体収容容器であって、
分散質成分を含有している液体と、前記液体を保持可能な液体保持部材と、を収容する液体カートリッジと、
シート状の部材によって構成され、前記液体カートリッジを収容する収容部材と、
前記収容部材に収容されている前記液体カートリッジを収容する箱状の外装部材と、
を備え、
前記液体カートリッジは、前記液体を外部に供給可能な液体供給口を有し、
前記外装部材は、少なくとも、前記液体供給口に対向する位置にある壁部を有し、
前記壁部の外壁面は、前記液体供給口から前記壁部に向かう方向に対して傾斜している１以上の平面によって構成されており、
前記収容部材は、前記壁部と前記液体カートリッジとの間に位置している端部を有している、液体収容容器。
【請求項２４】
液体収容容器であって、
分散質成分を含有している液体と、前記液体を保持可能な液体保持部材と、を収容する液体カートリッジと、
シート状の部材によって構成され、前記液体カートリッジを収容する収容部材と、
前記収容部材に収容されている前記液体カートリッジを収容する箱状の外装部材と、
を備え、
前記液体カートリッジは、前記液体を外部に供給可能な液体供給口を有し、
前記外装部材は、少なくとも、前記液体供給口に対向する位置にある壁部と、前記液体供給口から前記壁部に向かう方向に前記壁部の壁面より突出するように延びている突起部と、を有しており、
前記収容部材は、前記壁部と前記液体カートリッジとの間に位置する端部を有している、液体収容容器。
【請求項２５】
液体収容容器であって、
分散質成分を含有している液体と、前記液体を保持可能な液体保持部材と、を収容する液体カートリッジと、
シート状の部材によって構成され、前記液体カートリッジを収容する収容部材と、
を備え、
前記液体カートリッジは、前記液体を外部に供給可能な液体供給口が設けられ、前記液体カートリッジが前記液体噴射装置に装着された状態で鉛直下方に向く底面を有し、
前記収容部材は、内部に前記液体カートリッジを収容した状態で、前記液体カートリッジの前記底面と対向し、前記液体供給口の開口方向の側に突出している端部を有し、前記液体カートリッジを内部に収容した状態で吊り下げられるように構成されており、
前記液体カートリッジの前記底面は、前記液体カートリッジが前記収容部材に収容され、前記収容部材が吊り下げられた状態では水平方向に向く、液体収容容器。
【請求項２６】
液体収容容器であって、
液体を収容する液体カートリッジと、
シート状の部材によって構成され、前記液体カートリッジを収容する収容部材と、
前記収容部材に収容されている前記液体カートリッジを収容する箱状の外装部材と、
を備え、
前記液体カートリッジは、内部に連通している連通孔を有し、
前記外装部材は、少なくとも、前記連通孔に対向する位置にある壁部を有し、
前記壁部は、前記壁部を鉛直下方に向く底面として配置しようとしたときに前記外装部材を転倒する方向に誘導する構造を有しており、
前記収容部材は、前記壁部と前記液体カートリッジとの間に位置する端部を有している、液体収容容器。
【手続補正２】
【補正対象書類名】明細書
【補正対象項目名】０００６
【補正方法】変更
【補正の内容】
【０００６】
本発明は、インクカートリッジが収容されている液体収容容器に限らず、少なくとも配置角度が規制されることが望ましい液体収容容器の上述の課題を解決するためになされたものであり、以下の形態として実現することが可能である。本発明の一形態は、液体収容容器であって；液体を収容する液体カートリッジと；シート状の部材によって構成され、前記液体カートリッジを収容する収容部材と；を備え；前記液体カートリッジは、内部に大気を導入可能な大気導入孔が設けられ、前記液体カートリッジが液体噴射装置に装着された状態で鉛直上方に向く上面を有し；前記収容部材は、内部に前記液体カートリッジを収容した状態において、前記液体カートリッジの前記上面と対向し、前記大気導入孔の開口方向の側に突出している端部を有し、前記液体カートリッジを内部に収容した状態で吊り下げられるように構成されており；前記液体カートリッジの前記上面は、前記液体カートリッジが前記収容部材に収容され、前記収容部材が吊り下げられた状態では水平方向に向く、液体収容容器として提供される。前記の形態において、前記液体は、分散質成分を含有しており；前記液体カートリッジは、前記液体を保持可能な液体保持部材を収容しているとともに、前記液体を外部に供給可能な液体供給口が設けられ、前記液体カートリッジが前記液体噴射装置に装着された状態で鉛直下方に向く底面を有しており；前記収容部材は、前記端部である第１端部に加えて、内部に前記液体カートリッジを収容した状態で、前記液体カートリッジの前記底面と対向し、前記液体供給口の開口方向の側に突出している第２端部を有しており；前記液体カートリッジの前記底面は、前記液体カートリッジが前記収容部材に収容され、前記収容部材が吊り下げられた状態では前記水平方向に向いてよい。また、本発明の一形態は、液体収容容器であって；分散質成分を含有している液体と；前記液体を保持可能な液体保持部材と、を収容する液体カートリッジと；シート状の部材によって構成され、前記液体カートリッジを収容する収容部材と；を備え；前記液体カートリッジは、前記液体を外部に供給可能な液体供給口が設けられ、前記液体カートリッジが前記液体噴射装置に装着された状態で鉛直下方に向く底面を有し；前記収容部材は、内部に前記液体カートリッジを収容した状態で、前記液体カートリッジの前記底面と対向し、前記液体供給口の開口方向の側に突出している端部を有し、前記液体カートリッジを内部に収容した状態で吊り下げられるように構成されており；前記液体カートリッジの前記底面は、前記液体カートリッジが前記収容部材に収容され、前記収容部材が吊り下げられた状態では水平方向に向く、液体収容容器として提供される。